(57)【要約】【課題】新たな操作ボタンやタッチパネルなどの新たな操作部材を追加することなく、簡単な操作により、一覧表示された縮小画像の一覧を一括更新し、目的とする画像の選択を可能とする。【解決手段】記憶手段に記憶された画像データから所定数の画像データについての縮小画像３１を作成し、該縮小画像３１の一覧表示と、該一覧表示の一括更新を指示する一括更新マーク３３とをあわせて表示させ、カーソル枠３５が一括更新マーク３３を選択した状態で、さらに操作手段の所定の操作がされた場合には、一覧表示を他の画像データについての一覧表示に一括更新する制御手段とを備える。【選択図】図３
2010130619.tif 000002
【特許請求の範囲】
【請求項１】
画像データを記憶する記憶手段と、
前記記憶手段に記憶された画像データから所定数の画像データを縮小した一覧表示と、該一覧表示の一括更新を指示する一括更新指示部とを表示部にあわせて表示する表示手段と、
前記表示部に表示されるカーソルを操作する操作手段とを備え、
前記操作手段により前記カーソルは、少なくとも前記一覧表示における画像データまたは前記一括更新指示部を選択可能な画像再生装置において、
前記カーソルが前記一括更新指示部を選択した状態で、さらに前記操作手段の所定の操作がされた場合には、前記一覧表示を前記記憶手段に記憶された他の画像データについての一覧表示に一括更新する制御手段と
を更に備えることを特徴とする画像再生装置。
【請求項２】
前記操作手段は、前記カーソルの上下左右方向への選択移動指示をし、
前記制御手段は、前記カーソルが前記一括更新指示部を選択した状態で、前記操作手段により上下方向または左右方向のいずれかの選択移動指示が行われることにより、前記一覧表示を一括更新する
ことを特徴とする請求項１に記載の画像再生装置。
【請求項３】
前記操作手段は、
前記カーソルが前記一覧表示のいずれかの画像データを選択している場合は、少なくとも、
上下左右方向において他の画像データが表示されている方向への選択移動指示と、
上下左右方向において他の画像データが表示されていない方向であって、前記一括更新指示部が表示されている方向に対しては、該一括更新指示部への選択移動指示ができ、
前記カーソルが前記一括更新指示部を選択している場合は、少なくとも、
上下左右方向において他の画像データが表示されている方向への選択移動指示と、
上下左右方向において他の画像データが表示されていない方向であって、前ページまたは後ページへの一括更新を指示する上下方向または左右方向のいずれかの２方向への一括更新指示ができる
ことを特徴とする請求項２に記載の画像再生装置。
【請求項４】
前記表示手段は、前記一括更新指示部を前記表示部の前記画像データが一覧表示された領域以外のいずれかの領域に表示する
ことを特徴とする請求項１から３までのいずれかに記載の画像再生装置。
【請求項５】
前記表示手段は、前記一括更新指示部を前記表示部の前記画像データが一覧表示された領域内に表示する
ことを特徴とする請求項１から３までのいずれかに記載の画像再生装置。
【請求項６】
請求項１から５までのいずれかに記載の画像再生装置を備えることを特徴とする撮像装置。
【請求項７】
記憶手段に記憶された画像データから所定数の画像データを縮小した一覧表示と、該一覧表示の一括更新を指示する一括更新指示部とを表示部にあわせて表示する表示処理と、
前記表示部に表示されるカーソルを操作する操作手段により、前記カーソルは、少なくとも前記一覧表示における画像データまたは前記一括更新指示部を選択する処理と、
前記カーソルが前記一括更新指示部を選択した状態で、さらに前記操作手段の所定の操作がされた場合には、前記一覧表示を前記記憶手段に記憶された他の画像データについての一覧表示に一括更新する処理と
を行うことを特徴とする画像再生方法。
【請求項８】
前記操作手段は、前記カーソルの上下左右方向への選択移動指示をし、
前記カーソルが前記一括更新指示部を選択した状態で、前記操作手段により上下方向または左右方向のいずれかの選択移動指示が行われることにより、前記一覧表示を一括更新する処理
を行うことを特徴とする請求項７に記載の画像再生方法。
【請求項９】
前記操作手段は、
前記カーソルが前記一覧表示のいずれかの画像データを選択している場合は、少なくとも、
上下左右方向において他の画像データが表示されている方向への選択移動指示と、
上下左右方向において他の画像データが表示されていない方向であって、前記一括更新指示部が表示されている方向に対しては、該一括更新指示部への選択移動指示ができ、
前記カーソルが前記一括更新指示部を選択している場合は、少なくとも、
上下左右方向において他の画像データが表示されている方向への選択移動指示と、
上下左右方向において他の画像データが表示されていない方向であって、前ページまたは後ページへの一括更新を指示する上下方向または左右方向のいずれかの２方向への一括更新指示ができる
ようにしたことを特徴とする請求項８に記載の画像再生方法。
【請求項１０】
前記表示処理は、前記一括更新指示部を前記表示部の前記画像データが一覧表示された領域以外のいずれかの領域に表示する
ようにしたことを特徴とする請求項７から９までのいずれかに記載の画像再生方法。
【請求項１１】
前記表示処理は、前記一括更新指示部を前記表示部の前記画像データが一覧表示された領域内に表示する
ようにしたことを特徴とする請求項７から９までのいずれかに記載の画像再生方法。
【発明の詳細な説明】
【技術分野】
【０００１】
本発明は、画像再生装置、撮像装置および画像再生方法に関する。さらに詳述すると、操作性の向上に好適な画像再生装置、撮像装置および画像再生方法に関する。
【背景技術】
【０００２】
画像データの画素数の向上により画像当りのデータ量は増大しているが、メモリカード、内蔵メモリ等の大容量化に伴い、デジタルスチルカメラ（以下、デジタルカメラ、カメラともいう）に保存可能な画像の枚数は年々増加し、高精細な画質を維持したままに多量の画像データを保存することが可能になっている。
【０００３】
また、デジタルカメラに搭載される液晶画面は、高精細なものとなり、例えば、７０枚〜１００枚程度の縮小画像（サムネイル画像）を１画面に一括して表示可能なものも登場しつつある。しかしながら、液晶画面の大きさは、既にデジタルカメラの最も広い面とほぼ等価になるほどの面積が占められ、操作ボタン類の数を増やせない傾向にある。また、物理的な配置スペース不足によるものだけではなく、ユーザが操作を行う際の煩わしさを軽減するためにも操作ボタン類の数が増やせない傾向にある。
【０００４】
このような状況において、デジタルカメラに保存されている多量の画像データ中からユーザ所望の画像データを素早く選択する方法が求められている。例えば、特許文献１には、ユーザが縮小画像の一覧表示画面（以下、本明細書において、一覧画面ともいう）を表示する操作よりも前に、一覧画面を作成しておく技術が開示されている。
【０００５】
【特許文献１】特開２００３−１２５３４７号公報
【発明の開示】
【発明が解決しようとする課題】
【０００６】
しかしながら、特許文献１に記載の技術は、ユーザが操作を行ってから、１つの一覧画面を表示するまでの時間を高速化するものであり、ユーザの操作手順を減らすことにより表示を高速化する技術は開示されていない。したがって、どんなに高速に一覧画面を１枚を表示できたとしても、次々に一覧画面を更新するための操作手順が多いままでは、所望の画像を高速に検索できないという問題がある。
【０００７】
また、一覧画面の表示中に、一覧画面のページ送り・戻しをする技術として、先ず、（１）上下左右ボタンの画像を選択するためのボタンとは別に、一覧表示の一括更新を行う操作（例えば、ページ送りボタン、ページ戻りボタンの２つ）を、別途新設することが考えられるが、この方法によれば、上下左右ボタンとは別の操作ボタンが必要となり、物理的な配置スペース不足の問題や、ユーザの操作性の低下等を招くという問題がある。
【０００８】
また、（２）液晶画面の表面に指圧を感知するセンサを設けることで、タッチパネルのような操作を行えるようにし、一覧画面中にページ送り・戻し用のアイコンを設ける技術がある。この方法によれば、ページ送り・戻し用のアイコンをユーザが指で押下することによりページ送り・戻しを行うことができる。しかしながら、このようなセンサは高価であるという問題がある。そのため製品自体の価格も高価になり好ましいとはいえない。さらに、このようなセンサは、従来のボタンに比べて強い衝撃に弱いという問題もある。
【０００９】
また、（３）一覧画面の表示中に、上下左右ボタンを１回短く押すと、画像を選択するためにカーソルが動き、上下左右ボタンを長押しすると、ページ送り・戻しを行うように機能させる技術がある。通常は、上下左右ボタンを長押しすると、それが早送り・戻しのように機能し、１回ずつ押してカーソルを移動するよりもカーソルが高速で移動するように機能する。しかしながら、（３）の方法では、長押しにページ送り・戻しの機能を割り当てるため、通常の場合のように早送り・戻しの機能が上下左右ボタンに設定できなくなるという問題がある。
【００１０】
また、（４）一覧画面の表示中に、上下左右ボタンを押しながらカーソルを移動し、１画面上のサムネイル画像の最終行を越えるようにカーソルを移動することによりページ送り・戻しを行う技術がある。以下、当該技術について詳説する。
【００１１】
従来のデジタルカメラでは、１画面に複数の縮小画像をｍ行×ｎ列の一覧として表示し、それらの中からユーザが所望する画像１つを選択した後、ユーザが所望する拡大、削除、加工などの各種処理をしていた。
【００１２】
図９に従来の縮小画像の一覧表示画面の一例を示す。図９は、ｍ＝９、ｎ＝８の縮小画像（Img001〜Img072）が、デジタルカメラの液晶画面９０に表示された一覧画面である。図９（ａ）は初期状態を示しており、選択されている縮小画像９１（Img001）は、その枠の色が変わっている。尚、符号９６は再生モードであることを示すＯＳＤ（オンスクリーンディスプレイ）を示し、９７はＳＤカード内の画像を表示中であることを示すＯＳＤを示し、９８は選択されている画像の位置を示す番号（画像番号）を示し、９９は保存されている画像の総枚数を示している。
【００１３】
ここでユーザが選択する画像が、例えば、縮小画像９２（Img072）である場合、当該画像は最初の１画面目の一覧画面に含まれるので、最大でも（ｍ−１）＋（ｎ−１）回の操作により目的とする画像を選択できる。即ち、図９（ｂ）に示すように、１５回の操作で所望の縮小画像を選択することができる。
【００１４】
しかしながら、保存されている画像データ数が、液晶画面に表示されているｍ×ｎ枚を超える範囲に存在する場合には、目的とする画像が一覧表示されるまで、上下ボタンや左右ボタンを押す操作を繰り返したり、上述のようにボタンを押したままに維持する等の操作をして、目的とする画像を有する一覧画面を表示させた上で、目的とする画像を選択する操作を行う必要がある。
【００１５】
例えば、図９（ｂ）に示した状態から、下方向への操作することで図１０（ａ）に示すように、縮小画像（Img073〜Img144）が表示された一覧画面に更新される。したがって、例えば、図１０（ｂ）に示すように縮小画像（Img433〜Img504）が表示された一覧画面を表示する、即ち、５画面分の一覧表示を飛ばして６画面目の一覧画面を表示する場合、最小でも５画面×９行＋１回＝４６回の下方向（または、上方向）への操作を必要としていた。また、ボタンを下方向（または上方向）に押したまま維持する操作の場合には、ボタンを４６回分押したことに相当する時間、ボタンを押したまま維持する操作を必要としていた。
【００１６】
さらに、これらの操作により一覧画面（図１０（ｂ））に目的とする画像が表示された後、上述の場合と同様の操作を繰り返し、さらに最大（ｍ−１）＋（ｎ−１）回の選択操作を必要としていた。
【００１７】
以上より、多量の画像データの中から、１枚の画像を選択する場合、以下に示す２段階の操作が違和感なく両立していることが望ましいといえる。（１）簡単な操作により、一覧表示されたｍ行×ｎ列の画像を一括して更新する操作を繰り返し、目的とする画像を一覧画面に表示させる。（２）目的とする画像が一覧表示された後、簡単な操作で目的とする１枚を選択する。
【００１８】
そこで本発明は、新たな操作ボタンやタッチパネルなどの新たな操作部材を追加することなく、また、操作モードの切替等の操作を必要とすることなく、（１）簡単な操作により、一覧表示されたｍ行×ｎ列の画像を一括して更新する操作を繰り返し、目的とする画像を一覧画面に表示させ、（２）目的とする画像が一覧表示された後、簡単な操作で目的とする１枚を選択することのできる画像再生装置、撮像装置および画像再生方法を提供することを目的とする。
【課題を解決するための手段】
【００１９】
かかる目的を達成するため、請求項１に記載の画像再生装置は、画像データを記憶する記憶手段と、記憶手段に記憶された画像データから所定数の画像データを縮小した一覧表示と、該一覧表示の一括更新を指示する一括更新指示部とを表示部にあわせて表示する表示手段と、表示部に表示されるカーソルを操作する操作手段とを備え、操作手段によりカーソルは、少なくとも一覧表示における画像データまたは一括更新指示部を選択可能な画像再生装置において、カーソルが前記一括更新指示部を選択した状態で、さらに操作手段の所定の操作がされた場合には、一覧表示を記憶手段に記憶された他の画像データについての一覧表示に一括更新する制御手段とを更に備えるものである。
【００２０】
また、請求項２に記載の発明は、請求項１に記載の画像再生装置において、操作手段は、カーソルの上下左右方向への選択移動指示をし、制御手段は、カーソルが一括更新指示部を選択した状態で、操作手段により上下方向または左右方向のいずれかの選択移動指示が行われることにより、一覧表示を一括更新するものである。
【００２１】
また、請求項３に記載の発明は、請求項２に記載の画像再生装置において、操作手段は、カーソルが一覧表示のいずれかの画像データを選択している場合は、少なくとも、上下左右方向において他の画像データが表示されている方向への選択移動指示と、上下左右方向において他の画像データが表示されていない方向であって、一括更新指示部が表示されている方向に対しては、該一括更新指示部への選択移動指示ができ、カーソルが一括更新指示部を選択している場合は、少なくとも、上下左右方向において他の画像データが表示されている方向への選択移動指示と、上下左右方向において他の画像データが表示されていない方向であって、前ページまたは後ページへの一括更新を指示する上下方向または左右方向のいずれかの２方向への一括更新指示ができるものである。
【００２２】
また、請求項４に記載の発明は、請求項１から３までのいずれかに記載の画像再生装置において、表示手段は、一括更新指示部を表示部の画像データが一覧表示された領域以外のいずれかの領域に表示するものである。
【００２３】
また、請求項５に記載の発明は、請求項１から３までのいずれかに記載の画像再生装置において、表示手段は、一括更新指示部を表示部の画像データが一覧表示された領域内に表示するものである。
【００２４】
また、請求項６に記載の撮像装置は、請求項１から５までのいずれかに記載の画像再生装置を備えるものである。
【００２５】
また、請求項７に記載の画像再生方法は、記憶手段に記憶された画像データから所定数の画像データを縮小した一覧表示と、該一覧表示の一括更新を指示する一括更新指示部とを表示部にあわせて表示する表示処理と、表示部に表示されるカーソルを操作する操作手段により、カーソルは、少なくとも一覧表示における画像データまたは一括更新指示部を選択する処理と、一覧表示における画像データが選択された場合には、該画像データについて所定の処理を行い、カーソルが一括更新指示部を選択した状態で、さらに操作手段の所定の操作がされた場合には、一覧表示を記憶手段に記憶された他の画像データについての一覧表示に一括更新する処理とを行うようにしている。
【００２６】
また、請求項８に記載の発明は、請求項７に記載の画像再生方法において、操作手段は、カーソルの上下左右方向への選択移動指示をし、カーソルが一括更新指示部を選択した状態で、操作手段により上下方向または左右方向のいずれかの選択移動指示が行われることにより、一覧表示を一括更新する処理を行うようにしている。
【００２７】
また、請求項９に記載の発明は、請求項８に記載の画像再生方法において、操作手段は、カーソルが一覧表示のいずれかの画像データを選択している場合は、少なくとも、上下左右方向において他の画像データが表示されている方向への選択移動指示と、上下左右方向において他の画像データが表示されていない方向であって、一括更新指示部が表示されている方向に対しては、該一括更新指示部への選択移動指示ができ、カーソルが一括更新指示部を選択している場合は、少なくとも、上下左右方向において他の画像データが表示されている方向への選択移動指示と、上下左右方向において他の画像データが表示されていない方向であって、前ページまたは後ページへの一括更新を指示する上下方向または左右方向のいずれかの２方向への一括更新指示ができるようにしている。
【００２８】
また、請求項１０に記載の発明は、請求項７から９までのいずれかに記載の画像再生方法において、表示処理は、一括更新指示部を表示部の画像データが一覧表示された領域以外のいずれかの領域に表示するようにしている。
【００２９】
また、請求項１１に記載の発明は、請求項７から９までのいずれかに記載の画像再生方法において、表示処理は、一括更新指示部を表示部の画像データが一覧表示された領域内に表示するようにしている。
【発明の効果】
【００３０】
本発明によれば、新たな操作ボタンやタッチパネルなどの新たな操作部材を追加することなく、また、操作モードの切替等の操作を必要とすることなく、（１）簡単な操作により、一覧表示されたｍ行×ｎ列の画像を一括して更新する操作を繰り返し、目的とする画像を一覧画面に表示させ、（２）目的とする画像が一覧表示された後、簡単な操作で目的とする１枚を選択する動作を同一画面内でシームレスに行うことのできる画像再生装置、撮像装置および画像再生方法を提供することを目的とする。
【発明を実施するための最良の形態】
【００３１】
以下、本発明に係る構成を図１から図８に示す実施の形態に基づいて詳細に説明する。
【００３２】
１．画像再生装置構成
本実施形態では、画像再生装置の一例としての撮像装置の一例として、デジタルカメラを例に説明する。図１はデジタルカメラの外観図を示し、（ａ）はカメラ上面図、（ｂ）はカメラ正面図、（ｃ）はカメラ裏面図を示している。また、図２はデジタルカメラの制御系のブロック図を示している。
【００３３】
図１（ａ）に示すように、カメラ上面には、サブＬＣＤ１と、レリーズボタン２（ＳＷ１）と、モードダイヤル４（ＳＷ２）とを有する。
【００３４】
また、図１（ｂ）に示すように、カメラ正面には、ストロボ発光部３と、測距ユニット５と、リモコン受光部６と、鏡胴ユニット７と、光学ファインダ（正面）１１とを有する。
【００３５】
メモリカードスロットル１２１は、メモリカード１２１−１を挿入するスロットルを示し、カメラ側面に設けられる。尚、メモリカード１２１−１は、場合によっては、ＬＡＮカード１２１−２、無線ＬＡＮカード１２１−３等でもよい。
【００３６】
また、図１（ｃ）に示すように、カメラ裏面には、ＡＦＬＥＤ（オートフォーカスＬＥＤ）８と、ストロボＬＥＤ９と、ＬＣＤモニタ１０と、光学ファインダ（裏面）１１と、ズームボタンＴＥＬＥ１２（ＳＷ４）と、電源スイッチ１３（ＳＷ１３）と、ズームボタンＷＩＤＥ１４（ＳＷ３）と、再生スイッチ１５（ＳＷ６）とを有する。
【００３７】
さらに、カメラ裏面には、セルフタイマ／削除スイッチ１６（ＳＷ５）と、ＭＥＮＵ／ＯＫスイッチ１７（ＳＷ１２）と、左／画像確認スイッチ１８（ＳＷ１１）と、下／マクロスイッチ１９（ＳＷ１０）と、上／ストロボスイッチ２０（ＳＷ７）と、右スイッチ２１（ＳＷ８）と、画像を表示するディスプレイスイッチ２２（ＳＷ９）とを有する。
【００３８】
２．デジタルカメラの動作
次に、図２を参照してデジタルカメラの各種動作について説明する。
【００３９】
ストロボ発光部３、ストロボ回路１１４は、自然光などの光が足りない場合に光量を補う。暗い場所や被写体が暗い場合の撮影においては、デジタルスチルカメラプロセッサ１０４からストロボ回路１１４にストロボ発光信号を送信し、ストロボ回路１１４は、ストロボ発光部３を発光させ被写体を明るくする。
【００４０】
測距ユニット５は、カメラと被写体との距離を測る。デジタルカメラにおいては、撮像素子（ＣＣＤ）に形成された像のコントラストを検出し、最もコントラストの高い位置にレンズを移動させてフォーカスを合わせるＣＣＤ−ＡＦ方式が用いられている。しかしながら、ＣＣＤ−ＡＦ方式では、レンズを少しずつ動かしコントラストを探していくためフォーカス動作が遅いという問題があるため、測距ユニット５を用いて被写体との距離情報を常に取得し、距離情報からレンズを一気に移動してフォーカス動作を高速化している。リモコン受光部６は、外部からの赤外線信号を受光する。
【００４１】
鏡胴ユニット７は、被写体の光学画像を取り込むズームレンズ７−１ａ、ズーム駆動モータ７−１ｂからなるズーム光学系７−１、フォーカスレンズ７−２ａ、フォーカス駆動モータ７−２ｂからなるフォーカス光学系７−２、絞り７−３ａ、絞りモータ７−３ｂからなる絞りユニット７−３、メカシャッタ７−４、メカシャッタモータ７−４ａなるメカシャッタユニット７−４ｂ、各モータを駆動するモータドライバ７−５を有する。
【００４２】
そして、モータドライバ７−５は、リモコン受光部６入力や操作部Ｋｅｙユニット（ＳＷ１〜ＳＷ１３）の操作入力に基づく、デジタルスチルカメラプロセッサ１０４内にあるＣＰＵブロック１０４−３からの駆動指令により駆動制御される。ＲＯＭ１０８には、ＣＰＵブロック１０４−３にて解読可能なコードで記述された、制御プログラムや制御するためのパラメータが格納されている。尚、ＲＯＭ１０８に書き換え可能なフラッシュＲＯＭを使用することで、制御プログラムや制御するためのパラメータを変更することが可能となり、機能のバージョンアップ等を容易に行うことができる。
【００４３】
このデジタルカメラの電源がオン状態になると、ＣＰＵブロック１０４−３は制御プログラムに従って装置各部の動作を制御するとともに、制御に必要なデータ等を、一時的にＲＡＭ１０７およびデジタルスチルカメラプロセッサ１０４内にあるＬｏｃａｌ ＳＲＡＭ１０４−４に保存する。
【００４４】
ＣＣＤ１０１は、光学画像を光電変換するための固体撮像素子である。Ｆ／Ｅ（フロントエンド）−ＩＣ１０２は、画像ノイズ除去用相関二重サンプリングを行うＣＤＳ１０２−１、利得調整を行うＡＧＣ１０２−２、デジタル信号変換を行うＡ／Ｄ１０２−３、及びＣＣＤ１制御ブロック１０４−１より垂直同期信号（以下、ＶＤと記す）、水平同期信号（以下、ＨＤと記す）を供給され、ＣＰＵブロック１０４−３によって制御されるＣＣＤ１０１とＦ／Ｅ−ＩＣ１０２との駆動タイミング信号を発生するＴＧ１０２−４を有する。
【００４５】
デジタルスチルカメラプロセッサ１０４（以下、プロセッサ１０４ともいう）は、ＣＣＤ１０１よりＦ／Ｅ―ＩＣ１０２の出力データにホワイトバランス設定やガンマ設定を行い、また、ＶＤ信号、ＨＤ信号を供給するＣＣＤ１信号処理ブロック１０４−１、フィルタリング処理により輝度データ・色差データへの変換を行うＣＣＤ２信号処理ブロック１０４−２、装置各部の動作を制御するＣＰＵブロック１０４−３、制御に必要なデータ等を一時的に保存するＬｏｃａｌ ＳＲＡＭ１０４−４、パソコンなどの外部機器とＵＳＢ通信を行うＵＳＢブロック１０４−５、パソコンなどの外部機器とシリアル通信を行うシリアルブロック１０４−６、ＪＰＥＧ圧縮・伸張を行うＪＰＥＧ ＣＯＤＥＣブロック１０４−７、画像データのサイズを補間処理により拡大／縮小するＲＥＳＩＺＥブロック１０４−８、画像データを液晶モニタやＴＶなどの外部表示機器に表示するためのビデオ信号に変換するＴＶ信号表示ブロック１０４−９及び撮影された画像データを記録するメモリカードの制御を行うメモリカードコントローラブロック１０４−１０を有する。
【００４６】
ＳＤＲＡＭ１０３は、デジタルスチルカメラプロセッサ１０４で画像データに各種処理を施す際に画像データを一時的に保存する。保存される画像データは、例えば、ＣＣＤ１０１から、Ｆ／Ｅ−ＩＣ１０２を経由して取りこんで、ＣＣＤ１信号処理ブロック１０４−１でホワイトバランス設定、ガンマ設定が行われた状態の「ＲＡＷ−ＲＧＢ画像データ」やＣＣＤ２信号処理ブロック１０４−２で輝度データ・色差データ変換が行われた状態の「ＹＵＶ画像データ」、ＪＰＥＧ ＣＯＤＥＣブロック１０４−７で、ＪＰＥＧ圧縮された「ＪＰＥＧ画像データ」などである。
【００４７】
メモリカードスロットル１２１は、着脱可能なメモリカードを装着するためのスロットルである。
内蔵メモリ１２０は、メモリカードスロットル１２１にメモリカードが装着されていない場合でも、撮影した画像データを記憶できるようにするためのメモリである。
【００４８】
ＬＣＤドライバ１１７は、ＬＣＤモニタ１０に駆動するドライブ回路であり、ＴＶ信号表示ブロック１０４−９から出力されたビデオ信号を、ＬＣＤモニタ１０に表示するための信号に変換する機能も有している。ＬＣＤモニタ１０は、撮影前に被写体の状態を監視したり、撮影した画像を確認したり、メモリカード１２１−１や内臓メモリ１２０に記録した画像データを表示したりするための表示部である。
【００４９】
ビデオＡＭＰ１１８は、ＴＶ信号表示ブロック１０４−９から出力されたビデオ信号を、７５Ωインピーダンス変換するためのアンプである。ビデオジャック１１９は、ＴＶなどの外部表示機器と接続するためのジャックである。ＵＳＢコネクタ１２２は、パソコンなどの外部機器とＵＳＢ接続を行う為のコネクタである。
【００５０】
シリアルドライバ回路１２３−１は、パソコンなどの外部機器とシリアル通信を行うために、シリアルブロック１０４−６の出力信号を電圧変換するための回路である。ＲＳ−２３２Ｃコネクタ１２３−２は、パソコンなどの外部機器とシリアル接続を行う為のコネクタである。
【００５１】
ＳＵＢ−ＣＰＵ１０９は、ＲＯＭ・ＲＡＭをワンチップに内蔵したＣＰＵであり、操作Ｋｅｙユニット（ＳＷ１〜ＳＷ１３）やリモコン受光部６の出力信号をユーザの操作情報として、ＣＰＵブロック１０４−３に出力したり、ＣＰＵブロック１０４−３より出力されるカメラの状態をサブＬＣＤ１、ＡＦ ＬＥＤ８、ストロボＬＥＤ９、ブザー１１３の制御信号に変換して出力する。
【００５２】
サブＬＣＤ１は、撮影可能枚数などを表示するための表示部であり、ＬＣＤドライバ１１１は、ＳＵＢ−ＣＰＵ１０９の出力信号より、サブＬＣＤ１を駆動するためのドライブ回路である。
【００５３】
ＡＦ ＬＥＤ８は、撮影時の合焦状態を表示するためのＬＥＤであり、ストロボＬＥＤ９は、ストロボ充電状態を表すためのＬＥＤである。尚、このＡＦ ＬＥＤ８とストロボＬＥＤ９を、メモリカードアクセス中などの別の表示用途に使用しても良い。操作Ｋｅｙユニット（ＳＷ１〜ＳＷ１３）は、ユーザが操作するＫｅｙ回路であり、リモコン受光部６は、ユーザが操作したリモコン送信機の信号の受信部である。
【００５４】
音声記録ユニット１１５は、ユーザが音声信号を入力するマイク１１５−３、入力された音声信号を増幅するマイクＡＭＰ１１５−２、増幅された音声信号を記録する音声記録回路１１５−１からなる。音声再生ユニット１１６は、記録された音声信号をスピーカー１１６−３から出力できる信号に変換する音声再生回路１１６−１、変換された音声信号を増幅し、スピーカー１１６−３を駆動するためのオーディオＡＭＰ１１６２、音声信号を出力するスピーカー１１６−３からなる。
【００５５】
イーサネット（登録商標）接続回路（または無線イーサネット接続回路）１３０およびＬＡＮコネクタ１３１は、通信プロトコルを使用し、ネットワークを介して、外部機器との間で通信処理を行う。イーサネット接続回路の場合は、有線ネットワークを介して、外部機器との間で通信処理を行い、無線イーサネット接続回路の場合は、無線ネットワークを介して、外部機器との間で通信処理を行う。
【００５６】
３．第１の実施形態
以下、本発明に係る画像再生装置が実行する処理（画像再生方法）の一例（第１の実施形態）について説明する。以下、画像再生装置の一例としてデジタルカメラを例に説明する。
【００５７】
図３は、デジタルカメラの画像記憶手段（メモリカード１２１−１,ＲＯＭ１０８等）に記憶されている画像データの中から目的の画像を選択するために、表示部（ＬＣＤモニタ１０）に表示された縮小画像（サムネイル）の一覧表示画面の一例を示している。
【００５８】
図３（ａ）は画像表示領域３２に一覧表示された縮小画像３１のうちの１つ（Img024）がカーソル枠３５（以下、カーソルともいう）により選択されている状態を示し、図３（ｂ）は一括更新指示領域３４の一括更新マーク（一括更新指示部）３３がカーソル枠３５により選択されている状態を示している。尚、図３に示すように、より少ない操作で一覧画面の一括更新が行うことを可能とするために、一括更新マーク３３を縮小画像３１の各行に一つ表示させるようにしているが、少なくとも一覧画面中に１つの一括更新マーク３３を表示するようにすれば足りる。尚、符号３６は再生モードであることを示すＯＳＤを示し、３７はＳＤカード内の画像を表示中であることを示すＯＳＤを示し、３８は選択されている画像の位置を示す番号（画像番号）を示し、３９は保存されている画像の総枚数を示している。
【００５９】
また、図３に示す例では、画像表示領域３２の右側に一括更新指示領域３４が表示するようにしているが、一括更新指示領域３４の表示位置は特に限られるものではなく、画像表示領域３２の上下左右のいずれかの位置または画像表示領域３２内に表示されるようにすれば良い。
【００６０】
以下、図４〜図６に示すフローチャートを用いて、制御手段（デジタルスチルカメラプロセッサ１０４）及び表示手段（ＴＶ信号表示ブロック１０４−９、ＬＣＤドライバ１１７）が実行する処理（本発明に係る画像再生方法）の詳細について説明する。
【００６１】
図４は、表示手段により一覧画面を表示し、制御手段が操作手段（操作ＫｅｙユニットＳＷ１〜ＳＷ１３）からの操作を受け付ける画像一覧表示処理の全体を示すフローチャートの一例である。
【００６２】
画像一覧表示処理では、先ず、画像一覧（一覧画面）の初期状態を表示し（Ｓ１０１）、キー操作がなされた場合（Ｓ１０２：Ｙｅｓ）、一括更新マーク３３が選択されているかどうかを判断する（Ｓ１０３）。
【００６３】
一括更新マーク３３が選択されている場合（Ｓ１０３：Ｙｅｓ）は、一括更新マーク選択中処理（Ｓ１０４,図６）に移り、一括更新マーク３３が選択されていない場合（Ｓ１０３：Ｎｏ）は、縮小画像選択中処理（Ｓ１０５,図５）に移る。
【００６４】
一括更新マーク選択中処理（Ｓ１０４）、または縮小画像選択中処理（Ｓ１０５）の後、一覧表示終了操作がされる（Ｓ１０６：Ｙｅｓ）ことで、画像一覧表示処理は終了する。
【００６５】
次に、図５に示すフローチャートを用いて、縮小画像選択中処理（Ｓ１０５）の一例について説明する。
【００６６】
上述のように、一括更新マーク３３が選択されていない（一覧表示されている縮小画像３１が選択されている）場合（Ｓ１０３：Ｎｏ）は、縮小画像選択中処理（Ｓ１０５）が実行される。
【００６７】
縮小画像選択中処理（Ｓ１０５）において、上方向へのキー操作がされた場合（Ｓ１０５−１：Ｙｅｓ）で、画面最上行の縮小画像３１が選択されている場合（Ｓ１０５−２：Ｙｅｓ）は、一覧画面の一括更新をして１つ前のページを表示し（Ｓ１０５−４）、カーソルは当該画像の最下行の同じ列に移動する（Ｓ１０５−５）。一方、画面最上行の縮小画像３１が選択されていない場合（Ｓ１０５−２：Ｎｏ）は、カーソルは一行上の縮小画像に移動する（Ｓ１０５−３）。
【００６８】
また、下方向へのキー操作がされた場合（Ｓ１０５−６：Ｙｅｓ）で、画面最下行の縮小画像３１が選択されている場合（Ｓ１０５−７：Ｙｅｓ）は、一覧画面の一括更新をして１つ後のページを表示し（Ｓ１０５−９）、カーソルは当該画像の最上行の同じ列に移動する（Ｓ１０５−１０）。一方、画面最上行の縮小画像３１が選択されていない場合（Ｓ１０５−７：Ｎｏ）は、カーソルは一行下の縮小画像に移動する（Ｓ１０５−８）。
【００６９】
また、左方向へのキー操作がされた場合（Ｓ１０５−１１：Ｙｅｓ）で、画面最左列の縮小画像３１が選択されている場合（Ｓ１０５−１２：Ｙｅｓ）で、かつ画面最上行の縮小画像３１が選択されている場合（Ｓ１０５−１４：Ｙｅｓ）は、一覧画面の一括更新をして１つ前のページを表示し（Ｓ１０５−１６）、カーソルは最下行の一括更新マーク３３に移動する（Ｓ１０５−１７）。
【００７０】
一方、画面最左列の縮小画像３１が選択されていない場合（Ｓ１０５−１２：Ｎｏ）は、カーソルは一列左の縮小画像に移動する（Ｓ１０５−１３）。また、画面最上行の縮小画像３１が選択されていない場合（Ｓ１０５−１４：Ｎｏ）は、カーソルは上行の一括更新マーク３３に移動する（Ｓ１０５−１５）。
【００７１】
また、右方向へのキー操作がされた場合（Ｓ１０５−１８：Ｙｅｓ）で、画面最右列の縮小画像３１が選択されている場合（Ｓ１０５−１９：Ｙｅｓ）は、カーソルは右の一括更新マーク３３に移動する（Ｓ１０５−２１）。一方、画面最右列の縮小画像３１が選択されていない場合（Ｓ１０５−１９：Ｎｏ）は、カーソルは一列右の縮小画像に移動する（Ｓ１０５−２０）。
【００７２】
以上のように、縮小画像が選択されている場合（Ｓ１０３：Ｎｏ）は、上下左右のボタン操作で、一覧表示された画像または一覧表示された画像と共に表示されている一括更新指示領域を選択するという選択操作（以下、第一の選択操作ともいう）を行うことができる。
【００７３】
次に、図６に示すフローチャートを用いて、一括更新マーク選択中処理（Ｓ１０４）の一例について説明する。
【００７４】
上述のように、一括更新マーク３３が選択されている場合（Ｓ１０３：Ｙｅｓ）は、一括更新マーク選択中処理（Ｓ１０４）が実行される。
【００７５】
一括更新マーク選択中処理（Ｓ１０４）において、上方向へのキー操作がされた場合（Ｓ１０４−１：Ｙｅｓ）は、一覧画面の一括更新をして１つ前のページを表示する（Ｓ１０４−２）。
【００７６】
また、下方向へのキー操作がされた場合（Ｓ１０４−３：Ｙｅｓ）は、一覧画面の一括更新をして１つ後のページを表示する（Ｓ１０４−４）。
【００７７】
また、左方向へのキー操作がされた場合（Ｓ１０４−５：Ｙｅｓ）は、カーソルは一列左の縮小画像に移動する（Ｓ１０４−６）。
【００７８】
また、右方向へのキー操作がされた場合（Ｓ１０４−７：Ｙｅｓ）で、一番下の一括更新マーク３３が選択されている場合（Ｓ１０４−８：Ｙｅｓ）は、一覧画面の一括更新をして１つ後のページを表示し（Ｓ１０４−１０）、カーソルは最上行、最左列の縮小画像に移動する（Ｓ１０４−１１）。一方、一番下の一括更新マーク３３が選択されていない場合（Ｓ１０４−８：Ｎｏ）は、カーソルは下行、最左列の縮小画像に移動する（Ｓ１０４−９）。
【００７９】
以上のように、一括更新指示領域が選択されている場合には、上下ボタンを操作することにより一覧表示されている画像を一括更新する操作（以下、第二の選択操作ともいう）を行うことができ、左右ボタンを操作することにより第一の選択操作を行う状態に戻ることができる。第二の選択操作は、画像の一括更新を上下にページを送る／戻るような操作系としたい場合に適している。
【００８０】
このようにすることにより、一覧表示された縮小画像、または、一覧表示された縮小画像と共に表示されている一括更新指示領域を選択するという第一の選択操作と、一括更新指示領域が選択されている場合に、一覧表示されている縮小画像を一括更新するという第二の選択操作とを、表示部の同一画面内でシームレスに行う動作を実現し、タッチパッド等の高価な操作部材への変更や、ボタンを追加によるコスト増加や、追加するボタンの配置場所不足を招くことや、ボタン追加によりユーザの操作が煩雑になることを避けつつ、多量に保存された画像の中から目的とする画像を速やかに探し出し選択することができる。
【００８１】
４．第２の実施形態
次に、第２の実施形態について説明する。尚、第１の実施形態と同様の点については、説明を省略する。
【００８２】
図７は、縮小画像の一覧表示画面の他の例を示している。一括更新指示領域３４が、画像表示領域３２の下部にある点が第１の実施形態の例と異なる。
【００８３】
図７（ａ）は画像表示領域３２の縮小画像（Img069）がカーソル枠３５により選択されている状態を示し、図７（ｂ）は一括更新指示領域３４の一括更新マーク３３がカーソル枠３５により選択されている状態を示している。
【００８４】
このように一括更新指示領域３４を画像表示領域３２の下部に配置することにより、一括更新指示領域３４が選択されている場合には、左右ボタンを操作することにより一覧表示されている画像を一括更新する操作（第二の選択操作）を行うことができ、上下ボタンを操作することにより第一の選択操作を行う状態に戻ることができる。当該第二の選択操作は、画像の一括更新を左右にページを送る／戻るような操作系としたい場合に適している。
【００８５】
５．第３の実施形態
次に、第３の実施形態について説明する。尚、上述の各実施形態と同様の点については、説明を省略する。
【００８６】
図８は、縮小画像の一覧表示画面の他の例を示している。一括更新指示領域３４が、画像表示領域３２の内側にある点が上述の実施形態の例と異なる。
【００８７】
図８（ａ）は画像表示領域３２の縮小画像（Img036）がカーソル枠３５により選択されている状態を示し、図８（ｂ）は一括更新指示領域３４の一括更新マーク３３がカーソル枠３５により選択されている状態を示している。尚、図８では、一括更新指示領域３４および一括更新マーク３３を１つとしているが、操作性を損なわない範囲で画面内に複数存在させるようにしても良い。また、図８の例では、一括更新指示領域３４が選択されている場合に、上下方向の操作で一覧画面の一括更新を行う例を示しているが、左右方向の操作で一覧画面の一括更新を行うようにしても良いのは勿論である。
【００８８】
このように一括更新指示領域３４を画像表示領域３２の内側に配置することにより、画像の一括更新を上下にページを送る／戻るような操作系としたい場合、または、左右ページを送る／戻るような操作系としたい場合のどちらにも適している。どちらの操作系としても一覧のレイアウトが変わらずに済むため、ページを送る／戻る操作を、上下方向、左右方向どちらにするかをユーザに選択させたい場合に適している。
【００８９】
尚、上述の実施形態は本発明の好適な実施の例ではあるがこれに限定されるものではなく、本発明の要旨を逸脱しない範囲において種々変形実施可能である。
【００９０】
上述のように一覧画面において、上下左右方向いずれかにカーソルを移動する際、ボタンの長押しによって、カーソルが１回ずつボタンを押すよりも高速で自動的に移動する（早送り、早戻し）機能を有するようにすることも好ましい。上述の実施形態において、ボタンの長押しによる自動カーソル移動機能を適用することにより、一括更新マーク３３を更に少ない操作手順で選択することができ、更に操作性を向上させることができる。
【００９１】
上述の実施形態では、画像再生装置の一例としてデジタルカメラを例に説明したが、画像再生装置としては、例えば、携帯電話、携帯型のフォトビューワー、デジタルムービーカメラ等の各種の画像再生が可能な装置にも適用することができる。
【図面の簡単な説明】
【００９２】
【図１】本発明に係る画像再生装置（デジタルカメラ）の外観図の一例であって、（ａ）はカメラ上面図、（ｂ）はカメラ正面図、（ｃ）はカメラ裏面図を示す。
【図２】デジタルカメラの制御系を示すブロック図の一例である。
【図３】第１の実施形態における縮小画像の一覧表示画面の一例である。
【図４】画像一覧表示処理の全体を示すフローチャートの一例である。
【図５】縮小画像選択中処理の一例を示すフローチャートである。
【図６】一括更新マーク選択中処理の一例を示すフローチャートである。
【図７】第２の実施形態における縮小画像の一覧表示画面の一例である。
【図８】第３の実施形態における縮小画像の一覧表示画面の一例である。
【図９】従来の縮小画像の一覧表示画面の一例である。
【図１０】従来の縮小画像の一覧表示画面の他の例である。
【符号の説明】
【００９３】
１  サブＬＣＤ
２  レリーズボタン
３  ストロボ発光部
４  モードダイヤル
５  測距ユニット
６  リモコン受光部
７  鏡胴ユニット
８  ＡＦＬＥＤ
９  ストロボＬＥＤ
１０  ＬＣＤモニタ
１１  光学ファインダ
１２  ズームボタンＴＥＬＥ
１３  電源スイッチ
１４  ズームボタンＷＩＤＥ
１５  再生スイッチ
１６  セルフタイマ／削除スイッチ
１７  ＭＥＮＵ／ＯＫスイッチ
１８  左／画像確認スイッチ
１９  下／マクロスイッチ
２０  上／ストロボスイッチ
２１  右スイッチ
２２  ディスプレイスイッチ
３１  縮小画像
３２  画像表示領域
３３  一括更新マーク
３４  一覧一括更新指示領域
３５  カーソル枠
１０４  デジタルスチルカメラプロセッサ
１２１−１  メモリカード
【図１】
2010130619.tif 000003
【図２】
2010130619.tif 000004
【図３】
2010130619.tif 000005
【図４】
2010130619.tif 000006
【図５】
2010130619.tif 000007
【図６】
2010130619.tif 000008
【図７】
2010130619.tif 000009
【図８】
2010130619.tif 000010
【図９】
2010130619.tif 000011
【図１０】
2010130619.tif 000012